(57)【要約】  ガイドレール１であって、オーブン、食器洗い機等の電化製品の格子型側面部分２上の、曲げられた端部領域３ａ、３ｂを備える水平バー３に固定される可能性があり、かつガイドレールの端部領域内に固定されておりかつ格子型側面部分のバーに着脱可能に固定される可能性がある２つの保持要素４ａ、４ｂから構成される迅速固定装置を有するガイドレール１に関する。前方保持要素および後方保持要素は、それぞれ、第１および第２のクリップタイプ保持部４０ａ、４０ｂ、４１ａ、４１ｂを有し、第１のクリップタイプ保持部が、バーの長手方向延長部を部分的に包含し、第２のクリップタイプ保持部が、上記バーの曲げられた端部領域を部分的に包含する。後方保持要素４ｂの保持部４１ｂは、ガイドレールの後方に向かって開いており、このために、迅速固定装置を有するレールが、格子型側面部分の前方から一つのバーに対し押し込まれ固定される。【選択図】図１
2009525796.tif 000002
【特許請求の範囲】
【請求項１】
ガイドレール（１）であって、
ベーキングオーブン、食器洗い機または同様の電化製品の格子型側面部分（２）の、端部領域（３ａ、３ｂ）においてある角度で屈曲している水平に延びるロッド（３）に固定されるようになっており、かつ、当該ガイドレールの端部領域内に固定されるとともに、格子型側面部分（２）のロッド（３）に着脱可能に締結され得る２つの保持要素（４ａ、４ｂ）から構成されるクイックアクション式固定装置を有する、ガイドレール（１）において、
前記前方保持要素および前記後方保持要素（４ａ、４ｂ）の両方が、それぞれ、ロッド（３）の長手方向領域内でロッド（３）の周りに部分的に係合する第１のクリップタイプ保持部（４０ａ、４０ｂ）と、前記ロッド（３）の曲げられた端部領域（３ａ、３ｂ）内で前記ロッド（３）の周りに部分的に係合する第２のクリップタイプ保持部（４１ａ、４１ｂ）と、を有し、
前記後方保持要素（４ｂ）の前記保持部（４１ｂ）が、当該ガイドレール（１）の後方の方向に開いており、その結果、前記クイックアクション式固定装置と共に前記レール（１）が、前記側面格子（２）の前面から進んで、前記ロッド（３）のうちの１つに対し押し込まれかつ固定され得ることを特徴とする、ガイドレール。
【請求項２】
前記保持要素（４ａ、４ｂ）が一体片として製造されることを特徴とする、請求項１に記載のガイドレール。
【請求項３】
前記保持要素（４ａ、４ｂ）が金属から製造されることを特徴とする、請求項１または２に記載のガイドレール。
【請求項４】
前記保持要素（４ａ、４ｂ）が打ち抜かれて屈曲した部分として設計されることを特徴とする、請求項１〜３のいずれか１項に記載のガイドレール。
【請求項５】
前記保持要素（４ａ、４ｂ）が、掛け金をかけるまたは締付けるやり方でロッド（３）上に固定され得ることを特徴とする、請求項１〜４のいずれか１項に記載のガイドレール。
【請求項６】
前記前方保持要素（４ａ）には、弾性の舌部（４６）に一体的に形成されておりかつ入口勾配（４５ａ）を有する、固定用突起（４５）が設けられており、かつ当該ガイドレール（１）が組み立てられた状態にある場合には、前記固定用突起（４５）が、ロッド（３）の背後で当該ガイドレール（１）から遠い方の側面に係合していることを特徴とする、請求項１〜５のいずれか１項に記載のガイドレール。
【請求項７】
前記後方保持要素（４ｂ）が下部リムと上部リム（４２、４３）とを有し、前記２つのリム（４２、４３）が、前記ロッド（３）の前記屈曲した後端（３ｂ）の下面と前記後端（３ｂ）の上面との両方に載置され、そのようにして、前記クリップタイプ保持部（４１ｂ）を形成することを特徴とする、請求項１〜６のいずれか１項に記載のガイドレール。
【請求項８】
当該ガイドレール（１）が組み立てられた状態にある場合、前記下部ウェブ（４２）がまた、前記ロッド（３）の前記長手方向領域の下にも係合することを特徴とする、請求項７に記載のガイドレール。
【請求項９】
当該ガイドレール（１）の前記長手方向において、前記後方保持要素（４ｂ）の前記クリップタイプ保持部（４１ｂ）が、限界停止位置を形成するほぼ沿直方向に曲げられた移行ウェブ（４４）を画成することを特徴とする、請求項１〜８のいずれか１項に記載のガイドレール。
【発明の詳細な説明】
【技術分野】
【０００１】
本発明は、ガイドレールであって、ベーキングオーブン、食器洗い機または同様の電化製品の格子型側面部分の、端部領域においてある角度で屈曲している水平に延びるロッドに固定される可能性があり、かつガイドレールの端部領域内に固定されておりかつ格子型側面部分のロッドに着脱可能に締結され得る２つの保持要素から構成されるクイックアクション式固定装置を有する、ガイドレールに関する。
【背景技術】
【０００２】
問題のタイプのクイックアクション式固定装置を有するガイドレールは、それ自体、例えば独国特許第２００１００７３Ｕ１号から公知である。
【０００３】
対応するクイックアクション式固定装置を有するこのタイプのガイドレールは、食器洗い機、ベーキングオーブン等の家庭電化製品に使用されているが、これらのガイドレールが家具の他のアイテムにおいて使用されることも、同様に考えられる。
【０００４】
ワイヤまたはロッドから形成される格子状の側面部分の場合、互いに平行に延びる複数の水平なロッドが設けられており、上記ロッドは、ロッド自体の端部領域において曲げられており、その結果、曲げられた部分が、家庭電化製品または家具のアイテムの側壁の方向に、固定されることになっているガイドレールから突出するようになっている。
【発明の開示】
【発明が解決しようとする課題】
【０００５】
本発明は、格子型側面部分の水平に延びるロッドに安定した位置で固定される可能性があり、かつ同時に、このような固定位置に容易にかつ都合よく移動される可能性がある、問題のタイプのガイドレールを提供するという目的に基づく。
【課題を解決するための手段】
【０００６】
本発明によれば、この目的は、前方保持要素および後方保持要素の両方が、それぞれ、ロッドの長手方向領域内でロッドの周りに部分的に係合する第１のクリップタイプ保持部と、ロッドの曲げられた端部領域内でロッドの周りに部分的に係合する第２のクリップタイプ保持部と、を有し、後方保持要素の保持部が、ロッドの曲げられた後方の端部領域の周りに部分的に係合するために、ガイドレールの後方の方向に開いており、その結果、クイックアクション式固定装置と共にレールが、側面格子の前面から進んで、ロッドのうちの１つに対し押し込まれかつ固定され得ることにより、達成される。
【０００７】
本発明の利点は、第１に、ロッドの周りの部分的な係合が長手方向領域と曲げられた領域との両方において行われるので、レールを傾かないように事実上固定するようなやり方で、側面格子の単一のロッドにレールが締結され得るように、保持要素が設計される、ということである。更なる重要な利点は、適切に具備されたガイドレールが、側面格子のロッドに、容易に取り付けられ得ることである。これは、まず、後方保持要素を所定の位置（ここで、ロッドの長手方向領域の周りの部分的な係合が既に行われたことになる）へ持っていき、次いで、ガイドレールの後方の方へ開いている保持部が、ロッドの曲げられた後端にぶつかるまで、ガイドレールを後方に摺動しさえすればよいからである。この場合、ガイドレールは、前方保持要素がまだ係合されない程度に、ロッドに関して容易に角度を持たせることができる。ガイドレールが、ロッドに沿って限界停止位置までずらされると、次いでガイドレールは、前方保持要素がそれ自体の意図された位置に動かされるまで、ロッドの方向に枢動される。
【０００８】
対応するガイドレールを側面格子のロッドにこのように取り付けることができるということは、極めて実際的であり、かついかなる過度の注意も必要としない。これは、後方保持要素が、まず、対応するロッドに横方向に確実に位置づけられるようにしさえすればよいからである。その後、ガイドレールを限界停止位置までずらし、次いでガイドレールを押圧しなければならないが、これには、多くの技術も、ガイドレールやガイドレールのクイックアクション式固定装置の構造についての詳細な技術上の知識も必要でなく、多かれ少なかれ直観的に行われる。
【０００９】
例示的な実施形態を、添付図において例示し、以下において更に詳細に説明する。
【発明を実施するための最良の形態】
【００１０】
図面において、参照番号１は、全体的にガイドレールを表し、参照番号２は、全体的に格子型側面部分を表し、側面部分２は、それぞれに曲げられた端部領域３ａおよび３ｂが設けられている、複数の水平に延びるロッド３を有する。
【００１１】
ガイドレール１には、ガイドレール１の端部領域内に固定された２つの保持要素４ａおよび４ｂから構成される、クイックアクション式固定装置が設けられている。これらの保持要素４ａおよび４ｂは、ガイドレール１を側面部分２のロッド３のうちの１つに着脱可能に接続する役割を果たす。
【００１２】
前方保持要素４ａおよび後方保持要素４ｂの両方が、それぞれ、ロッドの長手方向領域内でロッド３の周りに部分的に係合する第１の保持部４０ａまたは４０ｂと、また、第２の保持部４１ａまたは４１ｂとを有しており、保持部４１ａおよび４１ｂは、ガイドレール１が完全に組み立てられると、ロッド３の曲げられた端部領域３ａおよび３ｂの周りに部分的に係合する。この種の固定により、ガイドレール１がロッド３に対して傾斜することが、確実に防止される。
【００１３】
特に、図５において明らかに示されているように、保持要素４ａの第２保持部４１ａは、保持要素の４ａの前面から進んで、ロッド３の前方の曲げられた端部領域３ａの周りに係合している。
【００１４】
後方保持要素４ｂの保持部４１ｂは、ガイドレール１の後方の方向から見ると開いており、かつ下部リム４２と上部リム４３とから形成されており、下部リム４２は、ロッド３の後方の曲げられた領域３ｂの下面に係合し、かつリム４３は、上記曲げられた端部領域３ｂの上面に係合する。
【００１５】
下部リム４２は、後方保持要素４ｂの上部リム４３の平面から屈曲しており、結果として得られる移行ウェブ４４が、後方の曲げられた端部領域３ｂの前面にぶつかり、このようにして、ロッド３の後端の方向におけるガイドレール１の長手方向変位のための限界停止位置を形成する。
【００１６】
保持要素４ａおよび４ｂの説明した構造により、最初に、後方保持要素４ｂが横方向にロッド３ａ上へ押し込まれ、次いで、ガイドレール１が、移行ウェブ４４がロッド３の後方の曲げられた端部領域３ｂにぶつかるまで、ロッド３の後方の方向にずらされるようなやり方で、ロッド３ａ上にガイドレール１を装着することが可能になる。最初、ロッド３に対してある角度にある、前方の端部領域内のガイドレールは、次いでガイドレール３に対して枢動され、その結果、前方保持要素４ａが、ロッド３の長手方向領域とロッド３の曲げられた端部領域３ａの両方において、ロッド３の周りに部分的に係合する。こうして、ガイドレールは、クイックアクション式固定装置によってロッド３に着脱可能に固定される。
【００１７】
ガイドレールは、保持要素４ａおよび４ｂとロッド３との間の締付け作用によって、または、他の方法として、掛け金要素によってもたらされ得るポジティブロックによって、意図せずロッド３から分離されることが確実に防止され得る。
【００１８】
一例として、図７は、図８と共に、前方保持要素４ａには、水平に対して傾斜している入口勾配４５ａが設けられた固定用突起４５が具備されていることを、明らかに示している。上記固定用突起４５は、全体として、固定用突起４５を水平方向に偏向させ得るばねリム４６に接続されている。
【００１９】
上述で更に説明したように、ガイドレール１が最終の組立ステップの間にロッド３に対して枢動されると、入口勾配４５ａは、ロッド３の下面を摺動し、下方へ押圧される。ガイドレール１がそれ自体の意図された位置に来ると、固定用突起４５は、再度はね上がり、したがって、図８に示される位置を取る。ここで、ガイドレール１は、固定用突起４５が最初に手で下方へ押圧されるときにのみ、ロッド３から分離され得ることが分かるであろう。これは、比較的単純な道具または他の何らかの補助を使用することにより可能である。したがって、ここにおいて、ポジティブロックが保持要素４ａとロッド３との間に提供される。
【００２０】
ポジティブロックのための他の可能性もまた考えられることは、言うまでもない。同様のことが、後方保持要素４ｂに当てはまる。
【００２１】
図９は、後方保持要素４ｂの変形例を示す。この場合、ロッド３の後方の屈曲した端部３ｂの下に係合する下部リム４２は、ロッド３の長手方向領域の下にも係合するような長さを有して設計されており、その結果、この場合もまた、ロッド３から意図せずに分離されることを防止するための手段がある。
【００２２】
保持要素４ａおよび４ｂは、有利なことに、それぞれ一体片として製造され、正確には、好ましくは金属から製造され、この場合は、打ち抜かれて屈曲した部分として製造されている。
【図面の簡単な説明】
【００２３】
【図１】格子型側面部分と、本発明による格子型側面部分に固定され得るガイドレールとを示す。
【図２】側面格子と、側面格子のロッド上に後方保持要素と共に位置づけられるガイドレールとの斜視図を示す。
【図３】図２の矢印ＩＩＩの方向から見た部分図を示す。
【図４】ガイドレールを完全に後方にずらした状態の、図３の矢印ＩＶの方向から見た図を示す。
【図５】ガイドレールが最終的に組み立てられた位置における、図２の矢印Ｖ字の方向から見た部分図を示す。
【図６】側面格子および側面格子に固定されたガイドレールの背面の図を示す。
【図７】側面格子のロッドに最終的に接続される直前の、ガイドレールの前方から見た斜視図を示す。
【図８】図６の線ＶＩＩＩによる断面図を示す。
【図９】本発明の更なる例示的な実施形態による、ガイドレールの、図４に対応する部分図を示す。
【図１】
2009525796.tif 000003
【図２】
2009525796.tif 000004
【図３】
2009525796.tif 000005
【図４】
2009525796.tif 000006
【図５】
2009525796.tif 000007
【図６】
2009525796.tif 000008
【図７】
2009525796.tif 000009
【図８】
2009525796.tif 000010
【図９】
2009525796.tif 000011
【国際調査報告】
2009525796.tif 000012
2009525796.tif 000013
2009525796.tif 000014
2009525796.tif 000015